(57)【特許請求の範囲】
【請求項１】
キッチンキャビネットをその後方の壁面に取り付けるキッチンキャビネット固定具であって、キャビネット側固定具と壁面側固定具と連結ボルトとで構成され、該キャビネット側固定具は、前記連結ボルトに螺合するためのネジ切り穴を設けた水平片と、該水平片の一端より垂直に延設され、背板の裏面に固定された補強材に取付けられる取付け片と、該取付け片とは反対側の水平片の一端より上方へ垂直に立ち上がる立ち上がり片とを有し、該壁面側固定具は、前記連結ボルトを挿通するための長穴を設けた水平片と、該水平片の一端より垂直に延設され、壁面に取付けられる取付け片と該取付け片とは反対側の水平片の一端より前記立ち上がり片と同じ長さ垂下する垂下片とを有し、背板と壁面との間隔に合わせた重ねあわせ代により、前記キャビネット側固定具及び前記壁面側固定具の水平片を重ねあわせ、前記長穴に連結ボルトを挿通し、前記ネジ切り穴に該連結ボルトをネジ込むようになっていることを特徴とするキッチン固定具。
【発明の詳細な説明】
【０００１】
【発明の属する技術分野】
本発明は、キッチンキャビネットとその後方の壁面とを固定するキッチンキャビネット固定具に関するものである。
【０００２】
【従来の技術】
従来、図１０及び図１１に示されるように、キッチンキャビネット４１を壁面４０に固定する際には、キッチンキャビネット４１の側板４２に下穴４３を斜めにあけ、ネジ４６で固定する方法がとられていた。
【発明が解決しようとする課題】
【０００３】
しかし、この場合、▲１▼側板４２が壁面４０に接しない仕様の場合は固定できない。▲２▼側板４２は、パーティクルボード材と木屑チップを固めた材料等であるため、下穴４３の位置などの問題により、下穴４３の周囲が砕けてしまう可能性があり、十分に固定できない。▲３▼背板４４の後方に配管スペース４５を設けたユニットがキッチンセットのかなりの間口寸法を占める場合、セットと壁面４０との固定が十分にできず、コーキング切れによる漏水の心配がある。
【０００４】
本発明では、上記▲１▼〜▲３▼の問題点を解決すべく、背板の後方に配管スペースがあるなど、背板が壁面と接しないような場合において、確実にキッチンを後方の壁面に固定し、かつ、寸法の異なる配管スペース等の間隔にも対応できるようにすることを課題としている。
【０００５】
【課題を解決するための手段】
本発明のキッチンキャビネット固定具では、キャビネット側固定具の水平片と壁面側固定具の水平片とがキッチンキャビネットと壁面との間隔をとる。これにより、背板の後方の配管スペース等、背板と壁面との間隔を確保できる。また、キャビネット側固定具の取付け片がキッチンキャビネットの背板の裏面に固定される補強材に取付けられる。この際、連結ボルトを挿通した長穴で調整しながら、キャビネット側固定具及び壁面側固定具の両水平片の重ね合わせ代を背板と壁面との間隔に合わせ、連結ボルトをネジ切り穴に螺合する。このため、背板の後方に配管スペースがあるなど、背板が壁面と接しないような場合において、その配管スペース等の間隔を自由に変えつつ、キッチンキャビネットを後方の壁面に固定できる。また、キッチンキャビネットの側板に穴を開ける必要がないことから、キッチンキャビネットを壁面に確実に固定できる。
【０００６】
さらに、前記キッチンキャビネット固定具において、キャビネット側固定具が水平片の一端より上方へ垂直に立ち上がる立ち上がり片を有し、壁面側固定具が水平片の一端より立ち上がり片と同じ長さ垂下する垂下片を有するので、キッチンキャビネット固定具及び壁面側固定具の連結ボルトの締め付けをきつくすることができるという効果を奏する。
【０００７】
【実施例】
図１は、第１の実施例のキッチンキャビネット固定具１８を構成するキャビネット側固定具１の斜視図、図２は、壁面側固定具７の斜視図、図３は、第１の実施例のキッチンキャビネット固定具１８を用いて、キッチンキャビネット２０を壁面１２に取り付けた状態の断面図、図４は、キッチンキャビネット２０にキャビネット側固定具１を取り付けた状態の平面図であり、２，１０は水平片、３はキッチンキャビネット２０の背板１３に固定した補強材１４への取付け片、４は折り返し片、５は連結ボルト１５を螺合するためのネジ切り穴、６，９は固定ネジ穴、８は壁面１２への取付け片、１１は連結ボルト１５挿通用の長穴、１６，１７は固定ネジ、１９はキッチンキャビネット２０の側板である。
【０００８】
本実施例においては、補強材１４にキャビネット側固定具１を固定ネジ１６で取り付け、キッチンキャビネット２０と壁面１２との間隔にあわせ、壁面側固定具７の水平片１０をキャビネット側固定具１の水平片２に上から重ね合わせ、連結ボルト１５を壁面側固定具７の長穴１１とキャビネット側固定具１のネジ切り穴５に挿通し、連結ボルト１５をネジ切り穴５に螺合する。そして、キッチンキャビネット固定具１８を壁面１２に固定ネジ１７で取り付ける。これにより、キッチンキャビネット２０を壁面１２に容易に固定でき、背板１３の後方に配管スペースを設けたユニットの場合の寸法の異なる配管スペースや壁面１２に不陸がある場合にも対応することができる。
【０００９】
また、補強材１４の取付け片３に折り返し片４があることでキャビネット側固定具１を補強材１４に取付ける際、現場での位置出しもしなくて良い。さらにキャビネット側固定具１の水平片２から取付け片３への折り返し部分や壁面側固定具７の水平片１０から取付け片８への折り返し部分に補強リブ１ａを設けても良い。
【００１０】
図５〜７は、第２の実施例を示したもので、キャビネット側固定具２１の水平片２２の一端より上方へ垂直に立ち上がる立ち上がり片２３を設け、壁面側固定具２４の水平片２５の一端より前記立ち上がり片２３と同じ長さ垂下する垂下片２６を設けたキッチンキャビネット固定具２７である。図５はキャビネット側固定具２１の斜視図、図６は、壁面側固定具２４の斜視図、図７は、第２の実施例のキッチンキャビネット固定具２７を用いて、キッチンキャビネット２８を壁面３０に取り付けた状態の断面図である。他の構成は第１の実施例と同一である。
【００１１】
この実施例では、立ち上がり片２３と垂下片２６とが連結ボルト２９の締め付け時に撓むことで連結ボルト２９の締め付けをきつくすることができるという利点がある。
【００１２】
図８、９は第３の実施例で、図８はキャビネット側固定具３１の斜視図、図９は、第２の実施例のキッチン固定具２４を用いて、キッチンキャビネット３３を壁面３４に取り付けた状態の断面図である。他の構成は第１の実施例と同一である。
【００１３】
この実施例においては、キャビネット側固定具３１の水平片３５にネジ切り穴３６が２つあるため、前後調整の幅を大きくでき、様々な配管スペースのキッチンキャビネット３３に対応することができる。
【００１４】
【発明の効果】
以上説明したように、本発明の請求項１のキッチンキャビネット固定具には、キッチンキャビネットの背板の後方に配管スペース等の間隔を設けたユニットの場合等において、寸法の異なる配管スペースや、壁面に不陸がある場合にも対応でき、さらに、連結ボルトの締め付けをきつくすることができるという効果がある。
【図面の簡単な説明】
【図１】第１の実施例のキッチンキャビネット固定具を構成するキャビネット側固定具の斜視図。
【図２】第１の実施例のキッチンキャビネット固定具を構成する壁面側固定具の斜視図。
【図３】第１の実施例のキッチンキャビネット固定具を用いてキッチンキャビネットを壁面に取り付けた状態の断面図。
【図４】第１の実施例のキャビネット側固定具をキッチンキャビネットに取り付けた状態の平面図
【図５】第２の実施例のキッチンキャビネット固定具を構成するキャビネット側固定具の斜視図。
【図６】第２の実施例のキッチンキャビネット固定具を構成する壁面側固定具の斜視図。
【図７】第２の実施例のキッチンキャビネット固定具を用いてキッチンキャビネットを壁面に取り付けた状態の断面図。
【図８】第３の実施例のキッチンキャビネット固定具を構成するキャビネット側固定具の斜視図。
【図９】第３の実施例のキッチンキャビネット固定具を用いてキッチンキャビネットを壁面に取り付けた状態の断面図。
【図１０】従来のキッチンキャビネットの壁への取付け方法を示す側面図である。
【図１１】従来のキッチンキャビネットの壁への取付け部分の要部拡大図である。
【符号の説明】
１、２１、３１  キャビネット側固定具
７、２４  壁面側固定具
１８、２７、３２  キッチンキャビネット固定具
２０、２８，３３、４１  キッチンキャビネット
１２、３０、３４、４０  壁面
２、１０、２２、２５、３５  水平片
３、８    取付け片、
１３、４４  背板
１４  補強材
４    折り返し片
５、３６  ネジ切り穴
１５、２９  連結ボルト
６、９  固定ネジ穴
１１  長穴
１６、１７  固定ネジ
１９、４２  側板
２３  立ち上がり片
２６  垂下片
【図１】
0003801461.tif 000002
【図２】
0003801461.tif 000003
【図３】
0003801461.tif 000004
【図４】
0003801461.tif 000005
【図５】
0003801461.tif 000006
【図６】
0003801461.tif 000007
【図７】
0003801461.tif 000008
【図８】
0003801461.tif 000009
【図９】
0003801461.tif 000010
【図１０】
0003801461.tif 000011
【図１１】
0003801461.tif 000012